(57)【要約】【課題】  通信事業者が通信料金を課金できるＩＰ電話システムを提案する。【解決手段】  ＩＰ電話端末ＡがＩＰ電話端末Ｂへ呼接続するために、ＩＰ電話端末Ｂの代表番号（端末番号Ｂ２）へ発呼すると（Ｓ１０１）、呼接続サーバ１０は端末番号Ｂ２に対応するＩＰアドレスＢ２−ＩＰを返答する（Ｓ１０３）。ＩＰアドレスＢ２−ＩＰへの呼接続要求を受けた呼接続ゲートウェイは（Ｓ１０４）、ＩＰアドレスＢ１−ＩＰへ呼接続要求を行い（Ｓ１０６）、ＩＰ電話端末Ｂとの間で呼接続を確立する（Ｓ１０８）。呼接続ゲートウェイはさらにＩＰ電話端末Ａへ応答信号を返送して（Ｓ１０９）、ＩＰ電話端末Ａとの間で呼接続を確立する（Ｓ１１０）。これにより、ＩＰ電話端末ＡとＩＰ電話端末Ｂは呼接続ゲートウェイを介して呼接続する（Ｓ１１１）。ＩＰ電話端末Ａ，Ｂ間の通信料金は呼接続ゲートウェイで課金できる。【選択図】    図２
2005124086.tif 000002
【特許請求の範囲】
【請求項１】
端末番号Ａ１を与えられたＩＰ電話端末Ａと、
端末番号Ｂ１を与えられたＩＰ電話端末Ｂと、
端末番号Ａ１，Ｂ１の代表番号Ａ２，Ｂ２を与えられ、ＩＰ電話端末Ａ，Ｂ間の呼を接続する呼接続ゲートウェイと、
端末番号Ａ１，Ａ２，Ｂ１，Ｂ２に対応するＩＰアドレスＡ１−ＩＰ，Ａ２−ＩＰ，Ｂ１−ＩＰ，Ｂ２−ＩＰを対応付けて記憶するとともに、ＩＰ電話端末Ａ又はＢからの問い合わせに応答してＩＰアドレスを返送する呼接続サーバと、
を備えるＩＰ電話システムであって、
前記呼接続サーバはＩＰ電話端末Ａからの端末番号Ｂ２のＩＰアドレス問い合わせに応答してＩＰアドレスＢ２−ＩＰを返送する手段を備え、
前記呼接続ゲートウェイはＩＰ電話端末ＡによるＩＰアドレスＢ２−ＩＰへの呼接続要求を検出すると、ＩＰ電話端末Ａ，Ｂそれぞれとの間で呼接続を行うことで、ＩＰ電話端末Ａ，Ｂ間の呼を接続する手段を備える、ＩＰ電話システム。
【請求項２】
請求項１に記載のＩＰ電話システムであって、
ＩＰ電話端末Ａから端末番号Ｂ２のＩＰアドレス問い合わせを受けた呼接続サーバは、ＩＰ電話端末Ａが予め登録されている場合にはＩＰアドレスＢ２−ＩＰをＩＰ電話端末Ａへ返送する手段を備え、
ＩＰ電話端末ＡによるＩＰアドレスＢ２−ＩＰへの呼接続要求を受けた呼接続ゲートウェイは、ＩＰ電話端末ＡがＩＰ電話端末Ｂへ呼接続する接続許可が与えられているか否かを確認する手段と、接続許可が与えられている場合にはＩＰアドレスＢ１−ＩＰに呼接続することにより呼接続ゲートウェイとＩＰ電話端末Ｂを呼接続状態とする手段と、さらにＩＰアドレスＡ１−ＩＰに応答を行うことで呼接続ゲートウェイとＩＰ電話端末Ａを呼接続状態とする手段を備える、ＩＰ電話システム。
【請求項３】
請求項１に記載のＩＰ電話システムであって、
ＩＰ電話端末Ａから端末番号Ｂ２のＩＰアドレス問い合わせを受けた呼接続サーバは、ＩＰ電話端末ＡがＩＰ電話端末Ｂへ呼接続する接続許可が与えられているか否かを確認する手段と、接続許可が与えられている場合にはＩＰアドレスＢ２−ＩＰをＩＰ電話端末Ａへ返送する手段を備え、
ＩＰ電話端末ＡによるＩＰアドレスＢ２−ＩＰへの呼接続要求を受けた呼接続ゲートウェイは、ＩＰアドレスＢ１−ＩＰに呼接続することにより、呼接続ゲートウェイとＩＰ電話端末Ｂを呼接続状態とする手段と、さらにＩＰアドレスＡ１−ＩＰに応答を行うことで呼接続ゲートウェイとＩＰ電話端末Ａを呼接続状態とする手段を備える、ＩＰ電話システム。
【請求項４】
請求項１乃至請求項３のうち何れか１項に記載のＩＰ電話システムであって、
音声、テキスト、画像、又は動画から成るコンテンツを要求に応じて送出する手段を備え、端末番号Ｃ１を与えられたＩＰ電話端末Ｃをさらに含み、
前記呼接続ゲートウェイには端末番号Ｃ１の代表番号Ｃ２が与えられており、
前記呼接続サーバはＩＰ電話端末Ａからの端末番号Ｃ２のＩＰアドレス問い合わせに応答してＩＰアドレスＣ２−ＩＰを返送する手段を備え、
前記呼接続ゲートウェイはＩＰ電話端末ＡによるＩＰアドレスＣ２−ＩＰへの呼接続要求を検出すると、ＩＰアドレスＣ１−ＩＰへ呼接続することによりＩＰ電話端末Ｃから送出されるコンテンツを受け取る手段と、ＩＰ電話端末Ｃから送出されるコンテンツをＩＰ電話端末Ａへ転送する手段を備える、ＩＰ電話システム。
【請求項５】
請求項１乃至請求項４のうち何れか１項に記載のＩＰ電話システムであって、
前記呼接続ゲートウェイは複数の発呼端末と複数の被呼端末の呼接続を行う手段を備える、ＩＰ電話システム。
【請求項６】
請求項１乃至請求項５のうち何れか１項に記載のＩＰ電話システムであって、
複数の呼接続ゲートウェイを備え、前記複数の呼接続ゲートウェイは多段接続することにより発呼端末と被呼端末の呼接続を行う手段を備える、ＩＰ電話システム。
【発明の詳細な説明】
【技術分野】
【０００１】
本発明はＩＰ電話システムに関し、特に、通信料金を課金できる改良技術に関する。
【背景技術】
【０００２】
インターネットプロトコルを利用したＩＰ電話システムにおいては、ＶｏＩＰパケット化された音声データを通信料無料のＩＰネットワークを介して送受信するため、通話料金としてはＮＴＴ回線を使用する箇所だけに発生するアクセスチャージ（事業者間接続料金）と、プロバイダのコストのみである。一般加入電話に比べると、ＩＰ電話は通信コストが安いメリットがある。
【発明の開示】
【発明が解決しようとする課題】
【０００３】
しかし、通信料が低コストになると、通信事業者がＩＰ電話システムを運用するインセンティブが働かなくなる虞がある。
【０００４】
そこで、本発明は通信事業者が通信料金を課金できるＩＰ電話システムを提案することを課題とする。
【課題を解決するための手段】
【０００５】
上記の課題を解決するため、本発明のＩＰ電話システムは、端末番号Ａ１を与えられたＩＰ電話端末Ａと、端末番号Ｂ１を与えられたＩＰ電話端末Ｂと、端末番号Ａ１，Ｂ１の代表番号Ａ２，Ｂ２を与えられ、ＩＰ電話端末Ａ，Ｂ間の呼を接続する呼接続ゲートウェイと、端末番号Ａ１，Ａ２，Ｂ１，Ｂ２に対応するＩＰアドレスＡ１−ＩＰ，Ａ２−ＩＰ，Ｂ１−ＩＰ，Ｂ２−ＩＰを対応付けて記憶するとともに、ＩＰ電話端末Ａ又はＢからの問い合わせに応答してＩＰアドレスを返答する呼接続サーバと、を備えるＩＰ電話システムであって、前記呼接続サーバはＩＰ電話端末Ａからの端末番号Ｂ２のＩＰアドレス問い合わせに応答してＩＰアドレスＢ２−ＩＰを返答する手段を備え、前記呼接続ゲートウェイはＩＰ電話端末ＡによるＩＰアドレスＢ２−ＩＰへの呼接続要求を検出すると、ＩＰ電話端末Ａ，Ｂそれぞれとの間で呼接続を行うことで、ＩＰ電話端末Ａ，Ｂ間の呼を接続する手段を備える。ＩＰ電話端末Ａ（発呼端末）と、ＩＰ電話端末Ｂ（被呼端末）の間の呼接続は呼接続ゲートウェイを介して行われるため、ＩＰ電話端末の通信料金を課金することができる。
【０００６】
本発明のＩＰ電話システムにおいて、ＩＰ電話端末Ａから端末番号Ｂ２のＩＰアドレス問い合わせを受けた呼接続サーバは、ＩＰ電話端末Ａが予め登録されている場合にはＩＰアドレスＢ２−ＩＰをＩＰ電話端末Ａへ返答する手段を備え、ＩＰ電話端末ＡによるＩＰアドレスＢ２−ＩＰへの呼接続要求を受けた呼接続ゲートウェイは、ＩＰ電話端末ＡがＩＰ電話端末Ｂへ呼接続する接続許可が与えられているか否かを確認する手段と、接続許可が与えられている場合にはＩＰアドレスＢ１−ＩＰに呼接続することにより呼接続ゲートウェイとＩＰ電話端末Ｂを呼接続状態とする手段と、さらにＩＰアドレスＡ１−ＩＰに応答を行うことで呼接続ゲートウェイとＩＰ電話端末Ａを呼接続状態とする手段を備える構成とするのが望ましい。
【０００７】
本発明のＩＰ電話システムにおいて、ＩＰ電話端末Ａから端末番号Ｂ２のＩＰアドレス問い合わせを受けた呼接続サーバは、ＩＰ電話端末ＡがＩＰ電話端末Ｂへ呼接続する接続許可が与えられているか否かを確認する手段と、接続許可が与えられている場合にはＩＰアドレスＢ２−ＩＰをＩＰ電話端末Ａへ返答する手段を備え、ＩＰ電話端末ＡによるＩＰアドレスＢ２−ＩＰへの呼接続要求を受けた呼接続ゲートウェイは、ＩＰアドレスＢ１−ＩＰに呼接続することにより、呼接続ゲートウェイとＩＰ電話端末Ｂを呼接続状態とする手段と、さらにＩＰアドレスＡ１−ＩＰに応答を行うことで呼接続ゲートウェイとＩＰ電話端末Ａを呼接続状態とする手段を備える構成とするのが望ましい。
【０００８】
本発明のＩＰ電話システムは、上述の構成に加えて、音声、テキスト、画像、又は動画から成るコンテンツを要求に応じて送出する手段を備え、端末番号Ｃ１を与えられたＩＰ電話端末Ｃをさらに含み、前記呼接続ゲートウェイには端末番号Ｃ１の代表番号Ｃ２が与えられており、前記呼接続サーバはＩＰ電話端末Ａからの端末番号Ｃ２のＩＰアドレス問い合わせに応答してＩＰアドレスＣ２−ＩＰを返答する手段を備え、前記呼接続ゲートウェイはＩＰ電話端末ＡによるＩＰアドレスＣ２−ＩＰへの呼接続要求を検出すると、ＩＰアドレスＣ１−ＩＰへ呼接続することによりＩＰ電話端末Ｃから送出されるコンテンツを受け取る手段と、ＩＰ電話端末Ｃから送出されるコンテンツをＩＰ電話端末Ａへ転送する手段を備える構成とするのが望ましい。
【０００９】
本発明のＩＰ電話システムにおいて、呼接続ゲートウェイは複数の発呼端末と複数の被呼端末の呼接続を行う手段を備えるように構成してもよい。かかる構成により、複数の発呼端末と複数の被呼端末の呼接続が可能となる。
【００１０】
本発明のＩＰ電話システムにおいて、複数の呼接続ゲートウェイを備え、複数の呼接続ゲートウェイは多段接続することにより発呼端末と被呼端末の呼接続を行う手段を備えるように構成してもよい。
【発明の効果】
【００１１】
本発明によればＩＰ電話端末の通信料金を課金できるシステムを提供できる。
【発明を実施するための最良の形態】
【００１２】
以下、各図を参照して本発明の好適な実施形態について説明する。
図１は本実施形態のＩＰ電話システムのネットワーク構成図である。同図に示すようにＩＰネットワーク３０にはＩＰ電話端末Ａ，Ｂ，Ｃ、呼接続サーバ１０、及び呼接続ゲートウェイ２０が接続しており、ＩＰ電話システムを構築している。ＩＰ電話端末Ａ，Ｂ，Ｃにはそれぞれ端末番号Ａ１，Ｂ１，Ｃ１が与えられている。ＩＰ電話端末Ｃは音声、テキスト、画像、動画などのコンテンツを予め記憶する記憶手段と、リクエストに応答してこれらのコンテンツをＩＰネットワーク３０に送信する送信手段を備えている。呼接続ゲートウェイ２０には端末番号Ａ１，Ｂ１，Ｃ１の代表番号に相当する端末番号Ａ２，Ｂ２，Ｃ２と、これらの端末番号に対応するＩＰアドレスＡ２−ＩＰ，Ｂ２−ＩＰ，Ｃ２−ＩＰが与えられており、これらの代表番号への発呼を検知すると、発呼端末と被呼端末を呼接続する機能を備えたネットワークサーバである。呼接続サーバ１０は端末番号とＩＰアドレスを対応付けて呼接続する機能を備えたネットワークサーバであり、端末番号Ａ１，Ｂ１，Ｃ１，Ａ２，Ｂ２，Ｃ２と、これらの端末番号に対応するＩＰアドレスＡ１−ＩＰ，Ｂ１−ＩＰ，Ｃ１−ＩＰ，Ａ２−ＩＰ，Ｂ２−ＩＰ，Ｃ２−ＩＰを対応付けて記憶する記憶手段と、ＩＰアドレス問い合わせに応答してＩＰアドレスを返答する応答手段を備えている。
【００１３】
図２は第１の呼接続シーケンスを記述した各端末装置とサーバ間の交信図である。ここでは、ＩＰ電話端末Ａが呼接続ゲートウェイ２０を介してＩＰ電話端末Ｂへ発呼する手順を示している。ＩＰ電話端末ＡがＩＰ電話端末Ｂへ呼接続するために、ＩＰ電話端末Ｂの代表番号（端末番号Ｂ２）へ発呼すると（Ｓ１０１）、呼接続サーバ１０はＩＰ電話端末Ａが予め呼接続サーバ１０に登録されている端末であるか否かを確認する（Ｓ１０２）。ＩＰ電話端末Ａが予め登録されている端末である場合には、呼接続サーバ１０は端末番号Ｂ２に対応するＩＰアドレスＢ２−ＩＰを返答する（Ｓ１０３）。すると、ＩＰ電話端末ＡはＩＰアドレスＢ２−ＩＰに対して呼接続要求を行う（Ｓ１０４）。呼接続ゲートウェイ２０にはＩＰアドレスＢ２−ＩＰが与えられているため、ＩＰ電話端末Ａの呼は呼接続ゲートウェイ２０に接続する。
【００１４】
呼接続ゲートウェイ２０はＩＰ電話端末ＡによるＩＰアドレスＢ２−ＩＰへの発呼を検知すると、ＩＰ電話端末ＡがＩＰ電話端末Ｂへ呼接続する接続許可が与えられているか否かを確認する（Ｓ１０５）。接続許可が設定されている場合には、呼接続ゲートウェイ２０はＩＰアドレスＢ１−ＩＰへ呼接続要求を行う（Ｓ１０６）。この呼接続要求に対してＩＰ電話端末Ｂが応答すると（Ｓ１０７）、呼接続ゲートウェイ２０とＩＰ電話端末Ｂとの間で呼接続が確立する（Ｓ１０８）。ＩＰ電話端末Ｂの応答を受けた呼接続ゲートウェイ２０がＩＰ電話端末Ａへ応答信号を返送すると（Ｓ１０９）、呼接続ゲートウェイ２０とＩＰ電話端末Ａとの間で呼接続が確立する（Ｓ１１０）。これにより、ＩＰ電話端末ＡとＩＰ電話端末Ｂは呼接続ゲートウェイ２０を介して呼接続する（Ｓ１１１）。
【００１５】
このように、本実施形態のＩＰ電話システムによれば、ＩＰ電話端末の代表番号を与えられた呼接続ゲートウェイ２０を介して端末相互間の呼接続を仲介することにより、ＩＰ電話通信の課金を行うことが可能となる。
【００１６】
図３は第２の呼接続シーケンスを記述した各端末装置とサーバ間の交信図である。ここでは、ＩＰ電話端末Ａが呼接続ゲートウェイ２０を介してＩＰ電話端末Ｂへ発呼する手順を示している。ＩＰ電話端末ＡがＩＰ電話端末Ｂへ呼接続するために、ＩＰ電話端末Ｂの代表番号（端末番号Ｂ２）へ発呼すると（Ｓ２０１）、呼接続サーバ１０はＩＰ電話端末ＡがＩＰ電話端末Ｂへ呼接続することが予め接続許可されている端末であるか否かを確認する（Ｓ２０２）。ＩＰ電話端末ＡがＩＰ電話端末Ｂへ呼接続することが予め許可されている端末である場合には、呼接続サーバ１０は端末番号Ｂ２に対応するＩＰアドレスＢ２−ＩＰを返答する（Ｓ２０３）。すると、ＩＰ電話端末ＡはＩＰアドレスＢ２−ＩＰに対して呼接続要求を行う（Ｓ２０４）。呼接続ゲートウェイ２０にはＩＰアドレスＢ２−ＩＰが与えられているため、ＩＰ電話端末Ａの呼は呼接続ゲートウェイ２０に接続する。
【００１７】
呼接続ゲートウェイ２０はＩＰ電話端末ＡによるＩＰアドレスＢ２−ＩＰへの発呼を検知すると、ＩＰアドレスＢ１−ＩＰへ呼接続要求を行う（Ｓ２０５）。この呼接続要求に対してＩＰ電話端末Ｂが応答すると（Ｓ２０６）、呼接続ゲートウェイ２０とＩＰ電話端末Ｂとの間で呼接続が確立する（Ｓ２０７）。ＩＰ電話端末Ｂの応答を受けた呼接続ゲートウェイ２０がＩＰ電話端末Ａへ応答信号を返送すると（Ｓ２０８）、呼接続ゲートウェイ２０とＩＰ電話端末Ａとの間で呼接続が確立する（Ｓ２０９）。これにより、ＩＰ電話端末ＡとＩＰ電話端末Ｂは呼接続ゲートウェイ２０を介して呼接続する（Ｓ２１０）。
【００１８】
このように、ＩＰ電話端末ＡがＩＰ電話端末Ｂへ発呼することが許可されているか否かは第１の呼接続シーケンスのように呼接続ゲートウェイ２０が判断してもよいが、第２の接続シーケンスのように呼接続サーバ１０が行ってもよい。
【００１９】
図４は第３の呼接続シーケンスを記述した各端末装置とサーバ間の交信図である。ここでは、ＩＰ電話端末Ａが呼接続ゲートウェイ２０を介してＩＰ電話端末Ｃから音声、テキスト、画像、動画などのコンテンツを読み出す手順を示している。ＩＰ電話端末ＡがＩＰ電話端末Ｃからコンテンツを読み出すために、ＩＰ電話端末Ｃの代表番号（端末番号Ｃ２）へ発呼すると（Ｓ３０１）、呼接続サーバ１０はＩＰ電話端末Ａが予め呼接続サーバ１０に登録されている端末であるか否かを確認する（Ｓ３０２）。ＩＰ電話端末Ａが予め登録されている端末である場合には、呼接続サーバ１０は端末番号Ｃ２に対応するＩＰアドレスＣ２−ＩＰを返答する（Ｓ３０３）。すると、ＩＰ電話端末ＡはＩＰアドレスＣ２−ＩＰに対して呼接続要求を行う（Ｓ３０４）。呼接続ゲートウェイ２０にはＩＰアドレスＣ２−ＩＰが与えられているため、ＩＰ電話端末Ａの呼は呼接続ゲートウェイ２０に接続する。
【００２０】
呼接続ゲートウェイ２０はＩＰ電話端末ＡによるＩＰアドレスＣ２−ＩＰへの発呼を検知すると、ＩＰ電話端末ＡがＩＰ電話端末Ｃへ呼接続する許可が与えられているか否かを確認する（Ｓ３０５）。許可が設定されている場合には、呼接続ゲートウェイ２０はＩＰアドレスＣ１−ＩＰへ接続し、コンテンツの送出をリクエストする（Ｓ３０６）。このリクエストに対してＩＰ電話端末Ｃは音声、テキスト、画像、動画などのコンテンツを読み出し、呼接続ゲートウェイ２０に送出する（Ｓ３０７）。呼接続ゲートウェイ２０はこれらのコンテンツをＩＰ電話端末Ａに転送する（Ｓ３０８）。
【００２１】
このように、呼接続ゲートウェイ２０を介してＩＰ電話端末Ｃからのコンテンツの読み出しを中継することで、コンテンツ読み出しに課金を行うことが可能となる。第３の呼接続シーケンスでは、ＩＰ電話端末ＡがＩＰ電話端末Ｃへの呼接続が許可されているか否かを呼接続ゲートウェイ２０で判断していたが、上述の第２の呼接続シーケンスのように呼接続サーバ１０が行ってもよい。
【００２２】
尚、上述の説明では説明を簡略化するため、発呼端末と被呼端末をともに１台として説明したが、図５に示すように発呼端末をＮ台、被呼端末をＭ台に拡張することも可能である。同図において、Ｎ台の発呼端末Ｘ１，Ｘ２，…，ＸＮと、Ｍ台の被呼端末Ｙ１，Ｙ２，…，ＹＭはともにＩＰ電話端末である。同一の端末番号に複数の発呼者が略同時に発呼する場合には、このように被呼端末を複数台用意する利用形態が望ましい。具体的な利用形態として、例えば、被呼端末Ｙ１，Ｙ２，…，ＹＭのそれぞれに、発呼者の音声を認識する音声認識システムと、複数種類の会話フレーズを予め記憶するデータベースを搭載しておき、発呼者と仮想人物（例えば、芸能人その他のアイドルなど）との間でインタラクティブな対話を実現することも可能である。発呼者は仮想人物からの質問に「はい」又は「いいえ」などの簡単な返事を返すことにより、又は指示された番号を入力する等により、被呼端末からはシナリオに沿ったフレーズが適宜選択されて発呼端末へ返答される。これにより、発呼者は仮想人物と擬似的に対話することが可能となる。
【００２３】
他の利用形態として、例えば、予め録音又は録画されたコンテンツを発呼端末からのリクエストに応答して送出する機能を実装した上述のＩＰ電話端末ＣをＭ台設定し、これらの端末を被呼端末Ｙ１，Ｙ２，…，ＹＭとして運用することも可能である。コンテンツの内容としては、例えば、法話、落語、講義、ラジオ番組のような一定時間のコンテンツが好適であり、発呼者からのリクエストに応じてこれらのコンテンツを発呼者に視聴させることができる。この他にも例えば、環境録画（青い海と白い海岸線に波が打ち寄せている風景を１５分周期くらいで表示する利用形態）のように、録画されている情報が無限ループになっている場合には、利用者はどのタイミングで利用を開始してもよいので、一つの端末に多数の同時利用者が存在する場合があり得る。
【００２４】
また、上述の説明では、単一の呼接続ゲートウェイ２０が発呼端末と被呼端末を呼接続する場合を例示したが、図６に示すように複数の呼接続ゲートウェイが多段接続して発呼端末と被呼端末を呼接続するように構成してもよい。ここでは、ＩＰ電話端末Ａ（発呼端末）からＩＰ電話端末Ｂ（被呼端末）への発呼をＫ台の呼接続ゲートウェイ２０−１，２０−２，…，２０−Ｋが多段接続することにより、呼接続を行っている。このような構成によれば、例えば、ＮＴＴ、Ｙａｈｏｏ−ＢＢ、ＫＤＤＩ、日本テレコム、ケーブルＴＶ系などの通信事業者が各自のネットワーク上でＩＰ電話システムを構築している場合に、それぞれのネットワークに呼接続ゲートウェイを設置しておくことにより、異なる通信事業者のネットワークを経由してＩＰ電話端末同士を呼接続できるため、利便性に優れている。呼接続ゲートウェイを多段接続するメリットは国内回線網だけでなく、例えば、国際回線網を管理している呼接続ゲートウェイを介して国内のＩＰ電話端末と外国のＩＰ電話端末を呼接続できるメリットもある。
【００２５】
図７は第４の呼接続シーケンスを記述した各端末装置とサーバ間の交信図である。本シーケンスは呼接続ゲートウェイ１，２が多段接続することにより、ＩＰ電話端末Ａ，Ｂ間を呼接続する手順を示すものである。ここでは、呼接続ゲートウェイ１にはＩＰ電話端末Ａの代表番号Ａ２１と、ＩＰ電話端末Ｂの代表番号Ｂ２１が与えられており、呼接続ゲートウェイ２にはＩＰ電話端末Ａの代表番号Ａ２２と、ＩＰ電話端末Ｂの代表番号Ｂ２２が与えられているものとする。ＩＰ電話端末ＡがＩＰ電話端末Ｂへ呼接続するために、ＩＰ電話端末Ｂの代表番号（端末番号Ｂ２１）へ発呼すると（Ｓ４０１）、呼接続サーバ１０はＩＰ電話端末Ａが予め呼接続サーバ１０に登録されている端末であるか否かを確認する（Ｓ４０２）。ＩＰ電話端末Ａが予め登録されている端末である場合には、呼接続サーバ１０は端末番号Ｂ２１に対応するＩＰアドレスＢ２１−ＩＰを返答する（Ｓ４０３）。すると、ＩＰ電話端末ＡはＩＰアドレスＢ２１−ＩＰに対して呼接続要求を行う（Ｓ４０４）。呼接続ゲートウェイ１にはＩＰアドレスＢ２１−ＩＰが与えられているため、ＩＰ電話端末Ａの呼は呼接続ゲートウェイ１に接続する。
【００２６】
呼接続ゲートウェイ１はＩＰ電話端末ＡがＩＰ電話端末Ｂへ呼接続することが予め接続許可されている端末であるか否かを確認する（Ｓ４０５）。ＩＰ電話端末ＡがＩＰ電話端末Ｂへ呼接続することが予め許可されている端末である場合には、呼接続サーバ１はＩＰアドレスＢ２２−ＩＰへ発呼することにより、呼接続サーバ２を呼び出す（Ｓ４０６）。呼び出しを受けた呼接続サーバ２はＩＰ電話端末ＡがＩＰ電話端末Ｂへ呼接続することが予め接続許可されている端末であるか否かを確認する（Ｓ４０７）。ＩＰ電話端末ＡがＩＰ電話端末Ｂへ呼接続することが予め許可されている端末である場合には、呼接続サーバ２はＩＰアドレスＢ１−ＩＰへ発呼することにより、ＩＰ電話端末Ｂを呼び出す（Ｓ４０８）。これに対し、ＩＰ電話端末Ｂが応答すると（Ｓ４０９）、ＩＰ電話端末Ｂと呼接続ゲートウェイ２との間で呼接続が確立する（Ｓ４１０）。次いで、呼接続ゲートウェイ２が呼接続ゲートウェイ１に応答を行うと（Ｓ４１１）、呼接続ゲートウェイ１，２間の呼接続が確立する（Ｓ４１２）。最後に、呼接続ゲートウェイ１がＩＰ電話端末Ａに応答を行うと（Ｓ４１３）、呼接続ゲートウェイ１とＩＰ電話端末Ａ間の呼接続が確立する（Ｓ４１４）。以上の手順を経て、ＩＰ電話端末ＡとＩＰ電話端末Ｂは呼接続ゲートウェイ１，２を介して呼接続する（Ｓ４１５）。
【図面の簡単な説明】
【００２７】
【図１】本実施形態のＩＰ電話システムのネットワーク構成図である。
【図２】第１の呼接続シーケンスを記述した交信図である。
【図３】第２の呼接続シーケンスを記述した交信図である。
【図４】第３の呼接続シーケンスを記述した交信図である。
【図５】発呼端末と被呼端末が複数の場合のネットワーク構成図である。
【図６】呼接続ゲートウェイを多段接続する場合のネットワーク構成図である。
【図７】第４の呼接続シーケンスを記述した交信図である。
【符号の説明】
【００２８】
１０…呼接続サーバ  ２０…呼接続ゲートウェイ  ３０…ＩＰネットワーク  Ａ，Ｂ，Ｃ…ＩＰ電話端末
【図１】
2005124086.tif 000003
【図２】
2005124086.tif 000004
【図３】
2005124086.tif 000005
【図４】
2005124086.tif 000006
【図５】
2005124086.tif 000007
【図６】
2005124086.tif 000008
【図７】
2005124086.tif 000009